(57)【要約】【課題】リュックサックの肩掛けが空気注入部を有するハンガーループ状のチューブで構成され、使用者がチューブに空気を注入すると、肩掛けがハンガーループ状となり、リュックサックを肩に密着・固定させ、リュックサックが肩の後ろへずり落ちず、また左右に揺れなく、使用者の腰に負担を与えず、脊椎疾患と疲労を予防し、活動しやすいリュックサックを提供する。【解決手段】リュックサックの肩ひもが、空気注入部を有するハンガーループ状のチューブを有する肩掛けで構成されたことを特徴とする。また、本発明の肩掛けを構成する二つのチューブはパイプで連結され、リュックサックの胴体側にチューブの長さがリュックサック胴体の長さだけ延長されリュックサックの背板に結合されることを特徴とする。肩掛けは、チューブの外部保護及びリュックサック胴体との連結のために、織地等で取り囲み、または織地等で構成された肩ひもの上部にチューブを内蔵可能な空間を形成してチューブを内臓することが好ましい。【選択図】図１
2013537458.tif 000002
【特許請求の範囲】
【請求項１】
物品を収容するリュックサック胴体１０と、前記リュックサック胴体１０の肩ひも１１が、空気注入部２１を有するハンガーループ状のチューブ２２を有する肩掛け２０と、を備えることを特徴とするリュックサック。
【請求項２】
前記肩掛け２０のチューブ２２が、パイプ３０によって互いに連結されたことを特徴とする請求項１に記載のリュックサック。
【請求項３】
前記チューブ２２の上部側が、リュックサック胴体１０の長さだけ延長され、リュックサック背板１２に結合されたことを特徴とする請求項１に記載のリュックサック。
【発明の詳細な説明】
【技術分野】
【０００１】
本発明は、リュックサックの肩ひもが、ハンガーループ（∩）状を有するチューブ型からなるリュックサックに関する。チューブの内部に空気を注入することにより、チューブがハンガーループ（∩）状を形成し、リュックサックの重量にもかかわらず、リュックサックを肩に密着、固定させ、リュックサックが肩の後ろへずり落ちず、また揺れないのみならず、さらには、肩に加えられるリュックサックの圧迫感を緩和させることができるリュックサックに関する。
【背景技術】
【０００２】
一般に、学生たちが主にブックバッグの代わりに用い、または旅行や登山の際に用いるリュックサックは、内部に本や物品のような荷重の重いものが入っているので、重いリュックサックの重量がそのまま使用者の身体に伝えられ、身体に大きな負担を与えている。
【０００３】
特に、重いリュックサックは、使用者の腰と肩部に大きな負担を与えるため、人体の脊椎等に悪影響を及ぼし、疲労を加重させる主原因となっており、特に、青少年の健康を深刻に脅かしているのが実状である。
【０００４】
また、肩への圧迫による酷い痛みのため、かばんを背負って歩行する姿勢が正しくなく、不自然な姿勢で歩行し、このため、毎日かばんを背負う青少年の場合は、身体の成長過程で脊椎が曲がったり捻れたりする等の問題があり、腰及び肩の痛みや首の痛みを随時引き起こすという問題点があった。
【０００５】
これにより、リュックサックを背負うときに、重心がよく取れるように、リュックサック中の物を順次に整然と整理し、また、肩ひもの長さを各身体部位に合わせて調節して、腰への負担を減らし、肩部の痛みを防止し、バランスの取れた姿勢とすることが奨励されてはいるが、これは、その場しのぎの方法であり、実質的には腰と肩への負担を緩和し難く、リュックサックを肩に固定させるために、胸部を引き締めるひもを用いることもあり、両手で背負いひもを引っ張ってリュックサックの後面部を背中に完全に密着させてリュックサックを用いていることが実状である。
【０００６】
一方、このような問題点に鑑み、肩ひもの後面、すなわち、肩に接する肩ひもに肩保護パッドをさらに備え、使用者の肩への痛みを緩和させているが、このような従来の肩保護パッドは、肩ひもに挟んで用いるように発泡ウレタンやスポンジの外部に布地を被せて裁縫した単純な構造となっているので、重い重量のリュックサックを背負う場合は、肩の痛みや衝撃を緩和させるだけで、実質的に腰と肩への荷重を分散させてはおらず、上述した問題点を全く解決するものではなかった。
【０００７】
従来の技術としては、韓国登録特許第１０−０４６２４６４号に記載のかばん用肩ひも保護パッドが提案されており、これは、かばんの肩ひもに結合される保護パッドにおいて、空気の注入及び排出のための注入口が形成されたチューブの外部を硬質のカバーが覆い肩を広く取り囲むように形成され、カバーの上部両側にそれぞれ固定された係止段間には肩ひもが位置され、その両側への離脱が防止され、係止段の両側にそれぞれ固定されたバンドには、雌雄１対からなる着脱式バックルが結合され、肩ひもの上側への離脱を防止可能に構成されている。
【０００８】
別の例として、韓国実用新案公告第２０−１９９２−０００５１７５号に記載のかばん用空気注入式背負いひもが提案されており、これは、フックとバックルが連結された連結ひもの中間に、スライドファスナーが取り付けられたチューブ挿入口と注入口突出孔が形成されたチューブ袋を備え、このチューブ袋内に空気注入口と分離壁が形成された空気チューブを内蔵させて構成されている。
【０００９】
これらの従来の技術は、肩保護パッドを空気が注入されるチューブ型で形成することにより、肩に加えられるリュックサックの圧迫感を緩和させるだけで、リュックサックを肩に固定させて使用者の腰に加えられる負担を減少させるためのものではないので、リュックサックが重いほど、肩の後ろへリュックサックがずり落ち、または左右にリュックサックが揺れ、脊椎疾患を引き起こし、または疲労感を与えるという問題点を解決することができなかった。
【００１０】
したがって、肩保護パッドが当たる使用者の肩の上端部分に加えられる痛みのみをある程度緩和させるだけで、腰に負担を与え、使用者の脊椎や鎖骨に無理な力が加えられることによる問題点は、全く解決していないのが実状である。
【発明の概要】
【発明が解決しようとする課題】
【００１１】
本発明は、上記問題点に鑑みてなされたものであり、その目的は、従来のリュックサックが肩に固定されず、後ろにずり落ちながら使用者の腰が反りまたは下がり、リュックサックが左右に揺れて腰に負担を与えるという問題点を解決するためのものであり、肩ひもの上部をハンガーループ状のチューブで構成し、使用者がチューブの内部に空気を注入してハンガーループが形成されると、前記ハンガーループ状の肩掛けが肩に完全に密着し、リュックサックが肩に固定されてずり落ちず、左右に揺れなく、リュックサックの荷重による使用者の腰への負担を減少させることができるのみならず、さらには、肩掛けの空気圧により、肩に加えられるリュックサックの重量感を緩和させる効果を果たすように、チューブ型肩掛けを備えるリュックサックを提供することにある。
【課題を解決するための手段】
【００１２】
上述した目的を達成するために、本発明によるチューブ型肩掛けを備えるリュックサックは、内部に本や物品を収容するリュックサック胴体と、前記リュックサック胴体の肩ひもが、一側に空気注入部が形成されたチューブを有する肩掛けと、を備えることを特徴とする。
【００１３】
前記肩ひもの上部の二つのチューブは、パイプによって互いに連結されてもよい。
【００１４】
前記リュックサック胴体の肩ひもの上部に設けられたチューブは、裁縫作業により形成される外皮で取り囲まれて肩掛けを構成し、または前記リュックサック胴体の肩ひもの上部には、めすマジックテープがさらに設けられ、チューブには、おすマジックテープがさらに設けられ、前記めす／おすマジックテープにより、前記肩ひもに着脱可能に構成してもよく、織地等で、肩ひもの上部にチューブを内蔵可能な空間を形成し、チューブを挿入して肩掛けを構成してもよい。
【００１５】
また、前記肩掛けには、前記チューブに形成される空気注入部に空気を注入するための空気注入器が設けられてもよい。
【発明の効果】
【００１６】
本発明のチューブ型肩掛けを備えるリュックサックによれば、リュックサックを肩に掛ける肩ひもの上部に位置するチューブの内部に注入される空気によりハンガーループが形成され、リュックサックを使用者の肩に固定させ、リュックサックが後ろへずり落ちないように支持し、リュックサックが左右に揺れもしないので、腰への負担を減少させ、脊椎疾患を予防することができるのみならず、さらには、チューブの空気圧で使用者の肩に加えられる重量感を緩和させる効果もあるので、使用者の腰保護はもとより、肩等に加えられる重圧を最小化し使用者の姿勢を正しくすることにより、長時間のリュックサックの使用でも、使用者の脊椎疾患と疲労を防止することができる。
【図面の簡単な説明】
【００１７】
【図１】本発明の実施例を示した斜視図である。
【図２】本発明のチューブを示した斜視図である。
【図３】本発明の第２の実施例を示した斜視図である。
【発明を実施するための形態】
【００１８】
以下、本発明の構成及び作用について、添付した図面に基づきさらに詳述する。本発明の説明において、本明細書及び特許請求の範囲に用いられた用語や単語は、発明者がその自身の発明を最善の方法で説明するために用語の概念を適宜定義することができるという原則に基づき、本発明の技術的思想に符合する意味と概念で解釈されなければならない。
【００１９】
図示のように、本発明によるチューブ型肩掛けを備えるリュックサックは、内部に本や物品を収容するリュックサック胴体１０と、前記リュックサック胴体１０の二つの肩ひも１１、１１の上部にそれぞれ配置され、内部に空気が注入されるように、一側に空気注入部２１が貫通連結されたチューブ２２で構成され、チューブに空気が注入されるとリュックサックが使用者の肩に密着するようにハンガーループが形成される二つの肩掛け２０、２０と、を備える。
【００２０】
前記リュックサック胴体１０は、学生たちがかばんの代わりに用いるリュックサック、登山用リュックサック、旅行用リュックサック等の、リュックサック胴体１０の内部に本等の物品を入れて肩に掛けるという全てのリュックサックに適用可能であり、リュックサック胴体の形状によって、一つの肩掛けのみからなるリュックサックにも適用可能であることは勿論である。
【００２１】
前記肩掛け２０の形状が、使用者の肩上部側の形状と同一のハンガーループ状に形成されているので、リュックサックが使用者の肩上部側の全体に密着し、リュックサックが使用者の肩に固定され、リュックサックが肩の下にずり落ちず、また揺れないことにより、リュックサックの荷重を均一に分散させ、使用者の正しい姿勢を誘導し、使用者の腰に加えられる負担が減少し、脊椎疾患と疲労が予防される。
【００２２】
特に、前記肩掛け２０がチューブ２２で構成されているので、前記チューブ２２に形成された空気注入部２１を用いて、チューブ２２の内部に空気を注入して使用することにより、注入された空気の緩衝圧により、使用者の肩に加えられる圧迫感を緩和させる付随的な効果もある。
【００２３】
前記二つの肩掛け２０、２０のチューブ２２間には、図１に示すように、これらの二つの肩掛け２０、２０のチューブ２２を連結するパイプ３０がさらに設けられ、前記連結パイプ３０により、前記二つのチューブ２２、２２が連結される。
【００２４】
したがって、いずれか一方のチューブにのみ空気注入部が形成されても、空気注入部２１から空気を注入すると、注入された空気が前記パイプ３０と連結された他方の肩掛け２０のチューブ２２に注入され、二つの肩掛け２０のチューブ２２の内部全体に空気が注入され、使用性の向上が期待される。
【００２５】
特に、前記肩掛け２０の位置が使用者の肩と胸部に位置するように構成されているので、使用者がリュックサック１０を背負っている間、前記肩掛け２０が使用者の肩と胸部によって支持されるので、リュックサック１０の密着性及び堅固な支持性が向上し、この際、前記チューブ２２に空気が注入されることにより、自然なクッション機能が果たされ、使用者の肩と胸部を圧迫しない。
【００２６】
また、本発明の第２の実施例のように、リュックサック胴体１０への結合側のチューブ２２の長さを、リュックサック胴体の長さだけ長く延長して、リュックサック背板に結合させると、チューブの緩衝作用により使用者の背中に加えられる圧迫感も緩和させることができる。
【００２７】
一方、チューブ２２を保護し、リュックサック胴体１０と肩ひも１１に連結するための、便宜上織地等でチューブ２２を取り囲む外皮２３を構成することが好ましく、前記肩掛け２０のチューブ２２と外皮２３とは、高周波溶着等の一般に用いられる接着作業を通じて接着が可能であり、チューブ２２と外皮２３とからなる前記肩掛け２０は、リュックサック胴体１０と前記肩ひも１１に裁縫作業を通じて連結することができる。
【００２８】
また、前記リュックサック胴体１０の肩ひも１１の後面には、めすマジックテープ１０ａがさらに設けられ、前記肩掛け２０には、おすマジックテープ２０ａがさらに設けられ、前記めす／おすマジックテープ１０ａ、２０ａにより、前記肩ひも１１から前記肩掛け２０が着脱可能に構成され、または、織地等で、肩ひも１１の上部にチューブ２２を内蔵可能な空間を形成し、チューブ２２を挿入して肩掛け２０の部分を形成してもよい。
【００２９】
リュックサック胴体の長さだけチューブ２２を延長してリュックサック背板に結合する場合は、リュックサック背板にチューブ２２の延長部を内蔵してもよい。
【００３０】
これにより、前記肩ひも１１から前記肩掛け２０を着脱させることができるので、使用者が、必要により、前記肩掛け２０を前記肩ひも１１に付着して使用し、または前記肩掛け２０から肩ひも１１を分離した状態で、肩ひも１１のみで使用することができるので、使用性及び利便性が大いに向上する。
【００３１】
前記肩掛け２０に、チューブ２２の空気注入部２１に空気を注入する空気注入器がさらに設けられてもよく、使用者が前記空気注入器を用いて、前記肩掛け２０のチューブ２２の内部の空気圧を簡便に加減し、ハンガーループ状を堅固にし、または使用者の肩または胸に加えられるリュックサックの圧迫感を緩和させることができる。
【００３２】
また、必要により、使用者が空気注入部２１からチューブ２２内の空気を容易に排出させてもよく、別途の空気排出口を設けてもよい。
【００３３】
このように、本発明は、様々の変形実施が可能なものであり、本発明の好適な実施例を挙げて説明したが、本発明は、このような実施例に限定されるものではなく、前記実施例を既存の公知技術と単純に組合せて適用した実施例と一緒に、本発明の請求の範囲と詳細な説明において、本発明の属する技術の分野における当業者が変形して利用可能な技術は、本発明の技術の範囲に当然含まれるものとみなすべきである。
【符号の説明】
【００３４】
１０    リュックサック胴体
１１    肩ひも
１２    リュックサック背板
２０    肩掛け
２１    空気注入部
２２    チューブ
２３    外皮
３０    パイプ
４０    チューブ延長部
【図１】
2013537458.tif 000003
【図２】
2013537458.tif 000004
【図３】
2013537458.tif 000005
【国際調査報告】
2013537458.tif 000006
2013537458.tif 000007
2013537458.tif 000008
2013537458.tif 000009